【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
電子デバイス間で通信する方法であって、
第１のワイヤレスネットワークに接続された同期動作に基づいて、データリンクの第１の電子デバイスにおいてクロックを同期することと、前記第１のワイヤレスネットワークは、近隣認識ネットワーク（ＮＡＮ）内のサービス発見および同期に接続され、ここにおいて、前記ＮＡＮは、共通の発見時間枠に接続された電子デバイスの第１のグループを含む、
前記第１の電子デバイスにおいて前記第１のワイヤレスネットワークを介してサービス発見フレームを受信することと、ここにおいて、前記サービス発見フレームは、送信時間枠の間の前記データリンクの第２の電子デバイスからの第２のワイヤレスネットワークを介したデータの受信者として前記データリンクの電子デバイスのサブセットを識別する、または、データ告知の時間期間と前記第２のワイヤレスネットワークを介したデータ送信のタイミング情報とを識別する属性を含み、前記第２のワイヤレスネットワークは、前記データリンクに対応する少なくとも１つのサービスによるデータ共有に接続され、前記データリンクは、共通のページング時間枠に接続された電子デバイスの第２のグループを含み、電子デバイスの前記第１のグループは、電子デバイスの前記第２のグループを含む、
前記属性に基づいて、前記送信時間枠の間、または、前記時間期間の少なくとも一部分の間、前記第２のワイヤレスネットワークを監視するかどうかを決定することと、ここにおいて、前記送信時間枠または前記時間期間のタイミングは、前記同期されたクロックに基づいて決定される、
を備える、方法。
【請求項２】
前記属性がサービス記述子属性であり、前記サービス記述子属性のサービス応答フィルタフィールドが、前記送信時間枠の間の前記データリンクの前記第２の電子デバイスからの前記データの受信者として前記データリンクの電子デバイスの前記サブセットを識別し、前記第２のワイヤレスネットワークを監視するかどうかを決定することが前記サービス応答フィルタフィールドに基づく、請求項１に記載の方法。
【請求項３】
前記サービス応答フィルタフィールドがブルームフィルタを識別し、前記第２のワイヤレスネットワークを監視すると決定することが、前記第１の電子デバイスが前記ブルームフィルタによって前記データの受信者として識別されると決定することに基づく、請求項２に記載の方法。
【請求項４】
前記第１の電子デバイスが前記データの前記受信者として示されると決定したことに応答して、前記第２の電子デバイスに前記第１のワイヤレスネットワークを介して肯定応答を送信することと、
前記肯定応答を送信したことに応答して、前記第２の電子デバイスから前記第１のワイヤレスネットワークを介して否定応答（ＮＡＣＫ）を受信することと、
前記ＮＡＣＫを受信したことに応答して、前記第１の電子デバイスをアクティブ動作モードから低電力動作モードに遷移することと
をさらに備える、請求項３に記載の方法。
【請求項５】
前記サービス記述子属性が前記データリンクに対応するデータリンク属性を示し、前記サービス記述子属性がトラフィックインジケータを含む第２の属性を示す、請求項２に記載の方法。
【請求項６】
前記トラフィックインジケータが、ブルームフィルタを含む、請求項５に記載の方法。
【請求項７】
前記第１の電子デバイスにおいて、前記第１の電子デバイスが電子デバイスの前記サブセットに含まれると決定したことに基づいて、前記データについて前記第２のワイヤレスネットワークを監視することをさらに備える、請求項１に記載の方法。
【請求項８】
前記属性が前記データリンクを介して前記第２の電子デバイスによって提供されるサービスを記述し、前記サービス発見フレームが、前記データリンクに対応する１つまたは複数の特徴を記述する第２の属性を含み、前記属性が前記第２の属性を識別するインジケータを含み、前記第２の属性が前記データリンクに対応する１つまたは複数の通信時間枠の１つまたは複数のパラメータを定義する、請求項１に記載の方法。
【請求項９】
前記第２の属性が、前記データリンクに対応するページング時間枠反復レートを示す、請求項８に記載の方法。
【請求項１０】
前記第１の電子デバイスが前記送信時間枠の間にトラフィックセッションに参加しないことに応答して、第２の送信時間枠の間、前記第１の電子デバイスにおいて低電力動作モードにとどまることをさらに備える、ここにおいて、前記第２の送信時間枠は、ページング時間枠を含まない、請求項９に記載の方法。
【請求項１１】
前記第１の電子デバイスが前記送信時間枠の間にトラフィックセッションに参加することに応答して、第２の送信時間枠の間、前記第１の電子デバイスにおいてアクティブ動作モードにとどまることをさらに備える、ここにおいて、前記第２の送信時間枠は、ページング時間枠を含まない、請求項９に記載の方法。
【請求項１２】
前記ページング時間枠反復レートが数ＮＵＭ＿ＰＷを備え、ページング時間枠が、連続する発見時間枠と発見時間枠との間の各々のＮＵＭ＿ＰＷ個の送信時間枠のうちの１つの送信時間枠に対して定義される、請求項９に記載の方法。
【請求項１３】
前記数ＮＵＭ＿ＰＷが０である場合、前記データリンクに対応するデータリンク時間ブロックの全体の間、前記第１の電子デバイスをアクティブ動作モードに維持することをさらに備える、請求項１２に記載の方法。
【請求項１４】
前記データに含まれるＭＯＲＥビットの値に基づいて、前記第１の電子デバイスを低電力動作モードに遷移することをさらに備える、請求項１３に記載の方法。
【請求項１５】
前記サービス発見フレームが、前記サービスを記述する第３の属性と、前記ＮＡＮの第２のデータリンクに対応する１つまたは複数の特徴を記述する第４の属性とをさらに含み、前記第３の属性が前記第４の属性を識別する第２のインジケータを含み、前記第４の属性が前記第２のデータリンクに対応する第３のワイヤレスネットワークを介したデータ通信に対応する１つまたは複数の通信時間枠の１つまたは複数のパラメータを定義する、請求項８に記載の方法。
【請求項１６】
前記第２の属性が、発見時間枠オフセット、送信時間枠オフセット、送信時間枠サイズ、ページング時間枠サイズ、送信時間枠反復インジケータ、ネットワークハートビート、またはこれらの任意の組合せを定義する、請求項８に記載の方法。
【請求項１７】
前記サービス発見フレームがＮＡＮビーコンメッセージに含まれる、請求項８に記載の方法。
【請求項１８】
前記サービス発見フレームがＮＡＮサービス発見メッセージに含まれる、請求項８に記載の方法。
【請求項１９】
前記属性が前記第２の電子デバイスによって提供されるサービスを識別するサービス識別子と、前記サービスの第１のインスタンスを識別する第１のインスタンス識別子とを含む、請求項１に記載の方法。
【請求項２０】
前記第１のワイヤレスネットワークを介して第２のサービス発見フレームを受信することをさらに備える、ここにおいて、前記第２のサービス発見フレームは、前記サービス識別子と、前記サービスの第２のインスタンスを識別する第２のインスタンス識別子とを含む第２の属性を含む、請求項１９に記載の方法。
【請求項２１】
前記属性が前記データリンクに対応するデータリンク属性であり、前記データリンク属性のデータリンク制御フィールドが前記データ告知の前記時間期間と前記タイミング情報とを識別し、前記第２のワイヤレスネットワークが前記タイミング情報によって識別された１つまたは複数の時間期間の間の前記第２の電子デバイスからの少なくとも１つのデータフレームについて監視される、請求項１に記載の方法。
【請求項２２】
前記データリンク制御フィールドのビットの第１のセットに基づいて、前記データ告知の前記時間期間を決定することをさらに備える、請求項２１に記載の方法。
【請求項２３】
前記サービス発見フレームは、前記ＮＡＮに対応する発見時間枠の間に受信され、前記データの少なくとも一部分は、前記送信時間枠の間に受信され、前記発見時間枠は、前記ＮＡＮ内での発見および同期動作のために指定された第１の時間期間を含み、前記送信時間枠は、前記データリンクの１つまたは複数の電子デバイスによって提供される１つまたは複数のサービスに接続されたデータ通信のために指定された第２の時間期間を含む、請求項１に記載の方法。
【請求項２４】
前記第１のワイヤレスネットワークが閾値の時間の期間の間アイドル状態であることに基づいて、前記第１の電子デバイスを低電力動作モードに遷移することをさらに備える、請求項１に記載の方法。
【請求項２５】
前記同期動作は、前記第１のワイヤレスネットワークを介して前記ＮＡＮの電子デバイスから同期ビーコンを受信することを備え、前記クロックは、前記同期ビーコンに基づいて同期される、請求項１に記載の方法。
【請求項２６】
前記第１の電子デバイスに前記ＮＡＮに参加させるために、前記クロックを同期する前に、前記ＮＡＮの電子デバイスに関して、前記第１の電子デバイスにおいて１つまたは複数の接続動作を実行することをさらに備える、請求項１に記載の方法。
【請求項２７】
前記第１のワイヤレスネットワークは、前記ＮＡＮに対応する第１のワイヤレスチャネルを備え、前記第２のワイヤレスネットワークは、前記データリンクに対応する第２のワイヤレスチャネルを備える、請求項１に記載の方法。
【請求項２８】
プロセッサと、
前記プロセッサに結合されたメモリと
を備え、前記メモリが、
第１のワイヤレスネットワークに接続された同期動作に基づいて、データリンクの第１の電子デバイスにおいてクロックを同期することと、前記第１のワイヤレスネットワークは、近隣認識ネットワーク（ＮＡＮ）内のサービス発見および同期に接続され、ここにおいて、前記ＮＡＮは、共通の発見時間枠に接続された電子デバイスの第１のグループを含む、
前記第１の電子デバイスにおいて前記第１のワイヤレスネットワークを介してサービス発見フレームを受信することと、ここにおいて、前記サービス発見フレームは、送信時間枠の間の前記データリンクの第２の電子デバイスからの第２のワイヤレスネットワークを介したデータの受信者として前記データリンクの電子デバイスのサブセットを識別する、または、データ告知の時間期間と前記第２のワイヤレスネットワークを介したデータ送信のタイミング情報とを識別する属性を含み、前記第２のワイヤレスネットワークは、前記データリンクに対応する少なくとも１つのサービスによるデータ共有に接続され、前記データリンクは、共通のページング時間枠に接続された電子デバイスの第２のグループを含み、電子デバイスの前記第１のグループは、電子デバイスの前記第２のグループを含む、
前記属性に基づいて、前記送信時間枠の間、または、前記時間期間の少なくとも一部分の間、前記第２のワイヤレスネットワークを監視するかどうかを決定することと、ここにおいて、前記送信時間枠または前記時間期間のタイミングは、前記同期されたクロックに基づいて決定される、
を備える動作を実行するように前記プロセッサによって実行可能な命令を記憶する、装置。
【請求項２９】
前記属性がサービス記述子属性であり、前記サービス記述子属性のサービス応答フィルタフィールドが、前記送信時間枠の間の前記データリンクの前記第２の電子デバイスからの前記データの受信者として前記データリンクの電子デバイスの前記サブセットを識別し、前記第２のワイヤレスネットワークを監視するかどうかを決定することが前記サービス応答フィルタフィールドに基づく、請求項２８に記載の装置。
【請求項３０】
前記動作が、前記第１の電子デバイスにおいて、前記第１の電子デバイスが電子デバイスの前記サブセットに含まれると決定したことに基づいて、前記データについて前記第２のワイヤレスネットワークを監視することをさらに備える、請求項２９に記載の装置。
【請求項３１】
前記サービス応答フィルタフィールドがブルームフィルタを識別し、前記第２のワイヤレスネットワークを監視すると決定することが、前記第１の電子デバイスが前記ブルームフィルタによって前記データの受信者として識別されると決定することに基づく、請求項３０に記載の装置。
【請求項３２】
前記動作が、
前記第１の電子デバイスが前記データの前記受信者として示されると決定したことに応答して、前記第２の電子デバイスに前記第１のワイヤレスネットワークを介して肯定応答を送信することと、
前記肯定応答を送信したことに応答して、前記第２の電子デバイスから前記第１のワイヤレスネットワークを介して否定応答（ＮＡＣＫ）を受信することと、
前記ＮＡＣＫを受信したことに応答して、前記第１の電子デバイスをアクティブ動作モードから低電力動作モードに遷移することと
をさらに備える、請求項３１に記載の装置。
【請求項３３】
前記サービス記述子属性が前記データリンクに対応するデータリンク属性を示し、前記サービス記述子属性がトラフィックインジケータを含む第２の属性を示す、請求項２９に記載の装置。
【請求項３４】
前記トラフィックインジケータが、トラフィック指示マップ（ＴＩＭ）を含む、請求項３３に記載の装置。
【請求項３５】
前記属性が前記データリンクを介して前記第２の電子デバイスによって提供されるサービスを記述し、前記サービス発見フレームが、前記データリンクに対応する１つまたは複数の特徴を記述する第２の属性を含み、前記属性が前記第２の属性を識別するインジケータを含み、前記第２の属性が前記データリンクに対応する１つまたは複数の通信時間枠の１つまたは複数のパラメータを定義する、請求項２８に記載の装置。
【請求項３６】
前記第２の属性が、前記データリンクに対応するページング時間枠反復レートを示す、請求項３５に記載の装置。
【請求項３７】
前記動作が、前記第１の電子デバイスが前記送信時間枠の間にトラフィックセッションに参加しないことに応答して、第２の送信時間枠の間、前記第１の電子デバイスにおいて低電力動作モードにとどまることをさらに備える、ここにおいて、前記第２の送信時間枠は、ページング時間枠を含まない、請求項３６に記載の装置。
【請求項３８】
前記動作が、前記第１の電子デバイスが前記送信時間枠の間にトラフィックセッションに参加することに応答して、第２の送信時間枠の間、前記第１の電子デバイスにおいてアクティブ動作モードにとどまることをさらに備える、ここにおいて、前記第２の送信時間枠は、ページング時間枠を含まない、請求項３６に記載の装置。
【請求項３９】
前記ページング時間枠反復レートが数ＮＵＭ＿ＰＷを備え、ページング時間枠が、連続する発見時間枠と発見時間枠との間の各々のＮＵＭ＿ＰＷ個の送信時間枠のうちの１つの送信時間枠に対して定義される、請求項３６に記載の装置。
【請求項４０】
前記動作が、前記数ＮＵＭ＿ＰＷが０である場合、前記データリンクに対応するデータリンク時間ブロックの全体の間、前記第１の電子デバイスをアクティブ動作モードに維持することをさらに備える、請求項３９に記載の装置。
【請求項４１】
前記動作が、前記データに含まれるサービス期間終了（ＥＯＳＰ）ビットに基づいて、前記第１の電子デバイスを低電力動作モードに遷移することをさらに備える、請求項４０に記載の装置。
【請求項４２】
前記サービス発見フレームが、前記サービスを記述する第３の属性と、前記ＮＡＮの第２のデータリンクに対応する１つまたは複数の特徴を記述する第４の属性とをさらに含み、前記第３の属性が前記第４の属性を識別する第２のインジケータを含み、前記第４の属性が前記第２のデータリンクに対応する第３のワイヤレスネットワークを介したデータ通信に対応する１つまたは複数の通信時間枠の１つまたは複数のパラメータを定義する、請求項３５に記載の装置。
【請求項４３】
前記第２の属性が、発見時間枠オフセット、送信時間枠オフセット、送信時間枠サイズ、ページング時間枠サイズ、送信時間枠反復インジケータ、ネットワークハートビート、またはこれらの任意の組合せを定義する、請求項３５に記載の装置。
【請求項４４】
前記サービス発見フレームがＮＡＮビーコンメッセージまたはＮＡＮサービス発見メッセージに含まれる、請求項３５に記載の装置。
【請求項４５】
前記属性が前記第２の電子デバイスによって提供されるサービスを識別するサービス識別子と、前記サービスの第１のインスタンスを識別する第１のインスタンス識別子とを含み、前記動作が、前記第１のワイヤレスネットワークを介して第２のサービス発見フレームを受信することをさらに備え、ここにおいて、前記第２のサービス発見フレームは、前記サービス識別子と、前記サービスの第２のインスタンスを識別する第２のインスタンス識別子とを含む第２の属性を含む、請求項２８に記載の装置。
【請求項４６】
前記属性が前記データリンクに対応するデータリンク属性であり、前記データリンク属性のデータリンク制御フィールドが前記データ告知の前記時間期間と前記タイミング情報とを識別し、前記第２のワイヤレスネットワークが前記タイミング情報によって識別された１つまたは複数の時間期間の間の前記第２の電子デバイスからの少なくとも１つのデータフレームについて監視される、請求項２８に記載の装置。
【請求項４７】
前記動作が、前記データリンク制御フィールドのビットの第１のセットに基づいて、前記データ告知の前記時間期間を決定することをさらに備える、請求項４６に記載の装置。
【請求項４８】
前記第１のワイヤレスネットワークを介して前記サービス発見フレームを受信するように構成された受信機と、
前記サービス発見フレームの受信に応答して、前記第１のワイヤレスネットワークを介して肯定応答を送信するように構成された送信機と、
をさらに備える、請求項２８に記載の装置。
【請求項４９】
第１のワイヤレスネットワークに接続された同期動作に基づいて、データリンクの第１の電子デバイスにおいてクロックを同期するための手段と、前記第１のワイヤレスネットワークは、近隣認識ネットワーク（ＮＡＮ）内のサービス発見および同期に接続され、ここにおいて、前記ＮＡＮは、共通の発見時間枠に接続された電子デバイスの第１のグループを含む、
前記第１の電子デバイスにおいて前記第１のワイヤレスネットワークを介してサービス発見フレームを受信するための手段と、ここにおいて、前記サービス発見フレームは、送信時間枠の間の前記データリンクの第２の電子デバイスからの第２のワイヤレスネットワークを介したデータの受信者として前記データリンクの電子デバイスのサブセットを識別する、または、データ告知の時間期間と前記第２のワイヤレスネットワークを介したデータ送信のタイミング情報とを識別する属性を含み、前記第２のワイヤレスネットワークは、前記データリンクに対応する少なくとも１つのサービスによるデータ共有に接続され、前記データリンクは、共通のページング時間枠に接続された電子デバイスの第２のグループを含み、電子デバイスの前記第１のグループは、電子デバイスの前記第２のグループを含む、
前記属性に基づいて、前記送信時間枠の間、または、前記時間期間の少なくとも一部分の間、前記第２のワイヤレスネットワークを監視するかどうかを決定するための手段と、ここにおいて、前記送信時間枠または前記時間期間のタイミングは、前記同期されたクロックに基づいて決定される、
を備える、装置。
【請求項５０】
前記サービス発見フレームを受信したことに応答して、前記第１のワイヤレスネットワークを介して肯定応答を送信するための手段をさらに備える、請求項４９に記載の装置。
【請求項５１】
命令を記憶する非一時的コンピュータ可読媒体であって、前記命令が、プロセッサによって実行されると、前記プロセッサに、
第１のワイヤレスネットワークに接続された同期動作に基づいて、データリンクの第１の電子デバイスにおいてクロックを同期させ、前記第１のワイヤレスネットワークは、近隣認識ネットワーク（ＮＡＮ）内のサービス発見および同期に接続され、ここにおいて、前記ＮＡＮは、共通の発見時間枠に接続された電子デバイスの第１のグループを含む、
前記第１の電子デバイスにおいて前記第１のワイヤレスネットワークを介してサービス発見フレームを受信させ、ここにおいて、前記サービス発見フレームは、送信時間枠の間の前記データリンクの第２の電子デバイスからの第２のワイヤレスネットワークを介したデータの受信者として前記データリンクの電子デバイスのサブセットを識別する、または、データ告知の時間期間と前記第２のワイヤレスネットワークを介したデータ送信のタイミング情報とを識別する属性を含み、前記第２のワイヤレスネットワークは、前記データリンクに対応する少なくとも１つのサービスによるデータ共有に接続され、前記データリンクは、共通のページング時間枠に接続された電子デバイスの第２のグループを含み、電子デバイスの前記第１のグループは、電子デバイスの前記第２のグループを含む、
前記属性に基づいて、前記送信時間枠の間、または、前記時間期間の少なくとも一部分の間、前記第２のワイヤレスネットワークを監視するかどうかを決定させる、ここにおいて、前記送信時間枠または前記時間期間のタイミングは、前記同期されたクロックに基づいて決定される、
非一時的コンピュータ可読媒体。
【請求項５２】
前記命令は、前記プロセッサによって実行されると、前記プロセッサに、少なくとも１つのデータ送信について前記送信時間枠の間前記第２のワイヤレスネットワークを監視させる、請求項５１に記載の非一時的コンピュータ可読媒体。
【手続補正２】
【補正対象書類名】明細書
【補正対象項目名】０２８５
【補正方法】変更
【補正の内容】
【０２８５】
[0297]上記の説明は、当業者が開示されている実装形態を製作または使用することを可能にするために提供されている。これらの実装形態に対する様々な修正が、当業者には容易に明らかになり、本明細書において定義される原理は、本開示の範囲から逸脱することなく、他の実装形態に適用され得る。したがって、本開示は、本明細書において示される実装形態に限定されることを意図されず、特許請求の範囲によって定義される原理および新規の特徴と合致する可能な限り最も広い範囲が与えられるべきである。
以下に本願発明の当初の特許請求の範囲に記載された発明を付記する。
［Ｃ１］
電子デバイス間で通信する方法であって、
近隣認識ネットワーク（ＮＡＮ）のデータリンクの第１の電子デバイスにおいてサービス発見フレームを受信することと、ここにおいて、前記サービス発見フレームは、送信時間枠の間の前記データリンクの第２の電子デバイスからのデータの受信者として前記データリンクの電子デバイスのサブセットを識別する、または、データ告知の時間期間と前記データリンクに対応するデータ送信のタイミング情報とを識別する、属性を含む、
前記属性に基づいて、前記送信時間枠の間に前記データリンクに対応するワイヤレスネットワークを監視するかどうかを決定することとを備える、方法。
［Ｃ２］
前記属性がサービス記述子属性であり、前記サービス記述子属性のサービス応答フィルタフィールドが、前記送信時間枠の間の前記データリンクの前記第２の電子デバイスからの前記データの受信者として前記データリンクの電子デバイスの前記サブセットを識別し、前記ワイヤレスネットワークを監視するかどうかを決定することが前記サービス応答フィルタフィールドに基づく、Ｃ１に記載の方法。
［Ｃ３］
前記第１の電子デバイスにおいて、前記第１の電子デバイスが電子デバイスの前記サブセットに含まれると決定したことに基づいて、前記データについて前記ワイヤレスネットワークを監視することをさらに備える、Ｃ２に記載の方法。
［Ｃ４］
前記サービス応答フィルタフィールドがブルームフィルタを識別し、前記ワイヤレスネットワークを監視すると決定することが、前記第１の電子デバイスが前記ブルームフィルタによって前記データの受信者として識別されると決定することに基づく、Ｃ２に記載の方法。
［Ｃ５］
前記第１の電子デバイスが前記データの前記受信者として示されると決定したことに応答して、肯定応答を前記第２の電子デバイスに送信することと、
前記第２の電子デバイスから否定応答（ＮＡＣＫ）を受信することと、
前記ＮＡＣＫを受信したことに応答して、前記第１の電子デバイスをアクティブ動作モードから低電力動作モードに遷移することとをさらに備える、Ｃ４に記載の方法。
［Ｃ６］
前記サービス記述子属性が前記データリンクに対応するデータリンク属性を示し、前記サービス記述子属性がトラフィックインジケータを含む第２の属性を示す、Ｃ２に記載の方法。
［Ｃ７］
前記トラフィックインジケータが、トラフィック指示マップ（ＴＩＭ）、ブルームフィルタ、または、媒体アクセス制御（ＭＡＣ）アドレスのリストを含む、Ｃ６に記載の方法。
［Ｃ８］
前記属性が前記データリンクを介して前記第２の電子デバイスによって提供されるサービスを記述し、前記サービス発見フレームが、前記データリンクに対応する１つまたは複数の特徴を記述する第２の属性を含み、前記属性が前記第２の属性を識別するインジケータを含み、前記第２の属性が前記データリンクに対応する１つまたは複数の通信時間枠の１つまたは複数のパラメータを定義する、Ｃ１に記載の方法。
［Ｃ９］
前記第２の属性が、前記データリンクに対応するページング時間枠反復レートを示す、Ｃ８に記載の方法。
［Ｃ１０］
少なくとも第１の送信時間枠および第２の送信時間枠が前記データリンクに対応し、前記第１の送信時間枠が第１のページング時間枠を含み、前記第２の送信時間枠がページング時間枠を含まない、Ｃ９に記載の方法。
［Ｃ１１］
前記第１の電子デバイスが前記第１の送信時間枠の間にトラフィックセッションに参加しない場合、前記第２の送信時間枠の間、前記第１の電子デバイスにおいて低電力動作モードにとどまることをさらに備える、Ｃ１０に記載の方法。
［Ｃ１２］
前記第１の電子デバイスが前記第１の送信時間枠の間にトラフィックセッションに参加する場合、前記第２の送信時間枠の間、前記第１の電子デバイスにおいてアクティブ動作モードにとどまることをさらに備える、Ｃ１０に記載の方法。
［Ｃ１３］
前記ページング時間枠反復レートが数ＮＵＭ＿ＰＷを備え、ページング時間枠が、連続する発見時間枠と発見時間枠との間の各々のＮＵＭ＿ＰＷ個の送信時間枠のうちの１つの送信時間枠に対して定義される、Ｃ９に記載の方法。
［Ｃ１４］
前記数ＮＵＭ＿ＰＷが０である場合、前記データリンクに対応するデータリンク時間ブロックの全体の間、前記第１の電子デバイスをアクティブ動作モードに維持することをさらに備える、Ｃ１３に記載の方法。
［Ｃ１５］
前記データに含まれるＭＯＲＥビット、前記データに含まれるサービス期間終了（ＥＯＳＰ）ビット、または前記ワイヤレスネットワークのアイドル時間検出に基づいて、前記第１の電子デバイスを低電力動作モードに遷移することをさらに備える、Ｃ１４に記載の方法。
［Ｃ１６］
前記サービス発見フレームが、前記サービスを記述する第３の属性と、前記ＮＡＮの第２のデータリンクに対応する１つまたは複数の特徴を記述する第４の属性とをさらに含み、前記第３の属性が前記第４の属性を識別する第２のインジケータを含み、前記第４の属性が前記第２のデータリンクに対応する１つまたは複数の通信時間枠の１つまたは複数のパラメータを定義する、Ｃ８に記載の方法。
［Ｃ１７］
前記属性が前記サービスを識別するサービス識別子を含み、前記属性が、前記サービスの第１のインスタンスを識別する第１のインスタンス識別子をさらに含み、前記第２の属性が、前記サービス識別子と、前記サービスの第２のインスタンスを識別する第２のインスタンス識別子とを含む、Ｃ１６に記載の方法。
［Ｃ１８］
前記第２の属性が前記データリンクに対応する第１のページング時間枠反復レートを示し、前記第４の属性が前記第２のデータリンクに対応する第２のページング時間枠反復レートを示し、前記第１のページング時間枠反復レートが前記第２のページング時間枠反復レートと異なる、Ｃ１７に記載の方法。
［Ｃ１９］
前記第２の属性が、発見時間枠オフセット、送信時間枠オフセット、送信時間枠サイズ、ページング時間枠サイズ、送信時間枠反復インジケータ、ネットワークハートビート、またはこれらの任意の組合せを定義する、Ｃ８に記載の方法。
［Ｃ２０］
前記サービス発見フレームがＮＡＮビーコンメッセージに含まれる、Ｃ８に記載の方法。
［Ｃ２１］
前記サービス発見フレームがＮＡＮサービス発見メッセージに含まれる、Ｃ８に記載の方法。
［Ｃ２２］
前記属性が前記データリンクに対応するデータリンク属性であり、前記データリンク属性のデータリンク制御フィールドが前記データ告知の前記時間期間と前記タイミング情報とを識別し、前記ワイヤレスネットワークが前記送信時間枠の間の前記第２の電子デバイスからの少なくとも１つのデータフレームについて監視され、前記送信時間枠が前記データリンク属性に基づいて決定される、Ｃ１に記載の方法。
［Ｃ２３］
前記データリンク制御フィールドのビットの第１のセットに基づいて、前記データ告知の前記時間期間を決定することをさらに備える、Ｃ２２に記載の方法。
［Ｃ２４］
前記データリンク制御フィールドのビットの前記第１のセットに基づいて、およびビットの第２のセットに基づいて、前記タイミング情報を決定することをさらに備える、Ｃ２３に記載の方法。
［Ｃ２５］
前記ワイヤレスネットワークが前記データリンク内でのデータ送信のために確保される、Ｃ２２に記載の方法。
［Ｃ２６］
プロセッサと、
前記プロセッサに結合されたメモリとを備え、前記メモリが、
近隣認識ネットワーク（ＮＡＮ）のデータリンクの第１の電子デバイスにおいてサービス発見フレームを受信することと、ここにおいて、前記サービス発見フレームは、送信時間枠の間の前記データリンクの第２の電子デバイスからのデータの受信者として前記データリンクの電子デバイスのサブセットを識別する、または、データ告知の時間期間と前記データリンクに対応するデータ送信のタイミング情報とを識別する、属性を含む、
前記属性に基づいて、前記送信時間枠の間に前記データリンクに対応するワイヤレスネットワークを監視するかどうかを決定することと
を備える動作を実行するように前記プロセッサによって実行可能な命令を記憶する、装置。
［Ｃ２７］
前記属性がサービス記述子属性であり、前記サービス記述子属性のサービス応答フィルタフィールドが、前記送信時間枠の間の前記データリンクの前記第２の電子デバイスからの前記データの受信者として前記データリンクの電子デバイスの前記サブセットを識別し、前記ワイヤレスネットワークを監視するかどうかを決定することが前記サービス応答フィルタフィールドに基づく、Ｃ２６に記載の装置。
［Ｃ２８］
前記動作が、前記第１の電子デバイスにおいて、前記第１の電子デバイスが電子デバイスの前記サブセットに含まれると決定したことに基づいて、前記データについて前記ワイヤレスネットワークを監視することをさらに備える、Ｃ２７に記載の装置。
［Ｃ２９］
前記サービス応答フィルタフィールドがブルームフィルタを識別し、前記ワイヤレスネットワークを監視すると決定することが、前記第１の電子デバイスが前記ブルームフィルタによって前記データの受信者として識別されると決定することに基づく、Ｃ２８に記載の装置。
［Ｃ３０］
前記動作が、
前記第１の電子デバイスが前記データの前記受信者として示されると決定したことに応答して、肯定応答を前記第２の電子デバイスに送信することと、
前記第２の電子デバイスから否定応答（ＮＡＣＫ）を受信することと、
前記ＮＡＣＫを受信したことに応答して、前記第１の電子デバイスをアクティブ動作モードから低電力動作モードに遷移することとをさらに備える、Ｃ２９に記載の装置。
［Ｃ３１］
前記サービス記述子属性が前記データリンクに対応するデータリンク属性を示し、前記サービス記述子属性がトラフィックインジケータを含む第２の属性を示す、Ｃ２７に記載の装置。
［Ｃ３２］
前記トラフィックインジケータが、トラフィック指示マップ（ＴＩＭ）、ブルームフィルタ、または、媒体アクセス制御（ＭＡＣ）アドレスのリストを含む、Ｃ３１に記載の装置。
［Ｃ３３］
前記属性が前記データリンクを介して前記第２の電子デバイスによって提供されるサービスを記述し、前記サービス発見フレームが、前記データリンクに対応する１つまたは複数の特徴を記述する第２の属性を含み、前記属性が前記第２の属性を識別するインジケータを含み、前記第２の属性が前記データリンクに対応する１つまたは複数の通信時間枠の１つまたは複数のパラメータを定義する、Ｃ２６に記載の装置。
［Ｃ３４］
前記第２の属性が、前記データリンクに対応するページング時間枠反復レートを示す、Ｃ３３に記載の装置。
［Ｃ３５］
少なくとも第１の送信時間枠および第２の送信時間枠が前記データリンクに対応し、前記第１の送信時間枠が第１のページング時間枠を含み、前記第２の送信時間枠がページング時間枠を含まない、Ｃ３４に記載の装置。
［Ｃ３６］
前記動作が、前記第１の電子デバイスが前記第１の送信時間枠の間にトラフィックセッションに参加しない場合、前記第２の送信時間枠の間、前記第１の電子デバイスにおいて低電力動作モードにとどまることをさらに備える、Ｃ３５に記載の装置。
［Ｃ３７］
前記動作が、前記第１の電子デバイスが前記第１の送信時間枠の間にトラフィックセッションに参加する場合、前記第２の送信時間枠の間、前記第１の電子デバイスにおいてアクティブ動作モードにとどまることをさらに備える、Ｃ３５に記載の装置。
［Ｃ３８］
前記ページング時間枠反復レートが数ＮＵＭ＿ＰＷを備え、ページング時間枠が、連続する発見時間枠と発見時間枠との間の各々のＮＵＭ＿ＰＷ個の送信時間枠のうちの１つの送信時間枠に対して定義される、Ｃ３４に記載の装置。
［Ｃ３９］
前記動作が、前記数ＮＵＭ＿ＰＷが０である場合、前記データリンクに対応するデータリンク時間ブロックの全体の間、前記第１の電子デバイスをアクティブ動作モードに維持することをさらに備える、Ｃ３８に記載の装置。
［Ｃ４０］
前記動作が、前記データに含まれるＭＯＲＥビット、前記データに含まれるサービス期間終了（ＥＯＳＰ）ビット、または前記ワイヤレスネットワークのアイドル時間検出に基づいて、前記第１の電子デバイスを低電力動作モードに遷移することをさらに備える、Ｃ３９に記載の装置。
［Ｃ４１］
前記サービス発見フレームが、前記サービスを記述する第３の属性と、前記ＮＡＮの第２のデータリンクに対応する１つまたは複数の特徴を記述する第４の属性とをさらに含み、前記第３の属性が前記第４の属性を識別する第２のインジケータを含み、前記第４の属性が前記第２のデータリンクに対応する１つまたは複数の通信時間枠の１つまたは複数のパラメータを定義する、Ｃ３３に記載の装置。
［Ｃ４２］
前記属性が前記サービスを識別するサービス識別子を含み、前記属性が、前記サービスの第１のインスタンスを識別する第１のインスタンス識別子をさらに含み、前記第２の属性が、前記サービス識別子と、前記サービスの第２のインスタンスを識別する第２のインスタンス識別子とを含む、Ｃ４１に記載の装置。
［Ｃ４３］
前記第２の属性が前記データリンクに対応する第１のページング時間枠反復レートを示し、前記第４の属性が前記第２のデータリンクに対応する第２のページング時間枠反復レートを示し、前記第１のページング時間枠反復レートが前記第２のページング時間枠反復レートと異なる、Ｃ４２に記載の装置。
［Ｃ４４］
前記第２の属性が、発見時間枠オフセット、送信時間枠オフセット、送信時間枠サイズ、ページング時間枠サイズ、送信時間枠反復インジケータ、ネットワークハートビート、またはこれらの任意の組合せを定義する、Ｃ３３に記載の装置。
［Ｃ４５］
前記サービス発見フレームがＮＡＮビーコンメッセージに含まれる、Ｃ３３に記載の装置。
［Ｃ４６］
前記サービス発見フレームがＮＡＮサービス発見メッセージに含まれる、Ｃ３３に記載の装置。
［Ｃ４７］
前記属性が前記データリンクに対応するデータリンク属性であり、前記データリンク属性のデータリンク制御フィールドが前記データ告知の前記時間期間と前記タイミング情報とを識別し、前記ワイヤレスネットワークが前記送信時間枠の間の前記第２の電子デバイスからの少なくとも１つのデータフレームについて監視され、前記送信時間枠が前記データリンク属性に基づいて決定される、Ｃ２６に記載の装置。
［Ｃ４８］
前記動作が、前記データリンク制御フィールドのビットの第１のセットに基づいて、前記データ告知の前記時間期間を決定することをさらに備える、Ｃ４７に記載の装置。
［Ｃ４９］
前記動作が、前記データリンク制御フィールドのビットの前記第１のセットに基づいて、およびビットの第２のセットに基づいて、前記タイミング情報を決定することをさらに備える、Ｃ４８に記載の装置。
［Ｃ５０］
前記ワイヤレスネットワークが前記データリンク内でのデータ送信のために確保される、Ｃ４７に記載の装置。
［Ｃ５１］
近隣認識ネットワーク（ＮＡＮ）のデータリンクの第１の電子デバイスにおいてサービス発見フレームを受信するための手段と、ここにおいて、前記サービス発見フレームは、送信時間枠の間の前記データリンクの第２の電子デバイスからのデータの受信者として前記データリンクの電子デバイスのサブセットを識別する、または、データ告知の時間期間と前記データリンクに対応するデータ送信のタイミング情報とを識別する、属性を含む、
前記属性に基づいて、前記送信時間枠の間に前記データリンクに対応するワイヤレスネットワークを監視するかどうかを決定するための手段とを備える、装置。
［Ｃ５２］
命令を記憶する非一時的コンピュータ可読媒体であって、前記命令が、プロセッサによって実行されると、前記プロセッサに、
近隣認識ネットワーク（ＮＡＮ）のデータリンクの第１の電子デバイスにおいてサービス発見フレームを受信させ、ここにおいて、前記サービス発見フレームは、送信時間枠の間の前記データリンクの第２の電子デバイスからのデータの受信者として前記データリンクの電子デバイスのサブセットを識別する、または、データ告知の時間期間と前記データリンクに対応するデータ送信のタイミング情報とを識別する、属性を含む、
前記属性に基づいて、前記送信時間枠の間に前記データリンクに対応するワイヤレスネットワークを監視するかどうかを決定させる、非一時的コンピュータ可読媒体。